(57)【要約】【課題】省スペース化の要請に十分対応できる薄型コンパクトな空気調和機を提供する。【解決手段】室内機となる空気調和機において、壁面Ｗに取り付けられたケーシング１１内には、ケーシング１１の前面に設けられた吸込口１２に対向させて斜流送風機１４が配設され、該斜流送風機１４の背面側に熱交換機１５が配設される。斜流送風機１４と熱交換機１５との間の距離は空気調和機の薄型コンパクト化を図るべく可及的に短く詰めるように設定され、これらの斜流送風機１４と熱交換機１５との間にフラットモータ１９が配設される。斜流送風機１４の回転駆動に伴い吸込口１２からケーシング１１内に吸い込まれた空気は、斜流送風機１４の斜流送風機能により回転軸線Ｐに対して後ろ向き斜めの遠心方向へ空気吹出流の方向が拡げられる。そのため、熱交換機１５内には、その前面の広範囲から空気が流入して有効熱交換面積が広く確保される。【選択図】      図２
2006038294.tif 000002
【特許請求の範囲】
【請求項１】
ケーシング内に、ケーシングの前面に設けられた吸込口に対向させて回転軸線が前後方向に沿う斜流送風機を配置すると共に、該斜流送風機の背面側には熱交換機を配置し、前記斜流送風機の回転駆動に基づき前記吸込口からケーシング内に吸い込まれた空気が熱交換機を通過した後にケーシング外へ吹き出されるようにした空気調和機。
【請求項２】
前記ケーシングには、前記回転軸線と直交する方向の一側面に吹出口が設けられ、該吹出口から前記空気はケーシング外へ吹き出される請求項１に記載の空気調和機。
【請求項３】
前記斜流送風機のハブの背面側には、前記回転軸線を中心とした場合に環状配置の構成となるマグネットを有したロータが一体化されると共に、前記ハブと前記熱交換機との間には、前記ロータのマグネットと対応する部分に複数のコイルを備えてなる薄板状ステータが配設され、該ステータと前記ロータとにより前記斜流送風機を回転駆動させるモータが構成されている請求項１又は請求項２に記載の空気調和機。
【請求項４】
前記ステータは、細棒状又は網状の支持部材を介して前記斜流送風機のハブと前記熱交換機との間に支持されている請求項３に記載の空気調和機。
【請求項５】
前記熱交換機はその前面側から見た場合の輪郭形状が前記斜流送風機の羽根部が回転時に描く回動軌跡の形状よりも大きく形成されている請求項１〜請求項４のうち何れか一項に記載の空気調和機。
【請求項６】
前記ケーシング内の前記熱交換機の背面側には、該熱交換機の背面から吹き出された空気吹出流を前記吹出口に向けて案内可能な空気吹出流路が形成されると共に、該空気吹出流路内には、前記回転軸線から見て吹出口に近い側となる熱交換機の背面から吹き出された空気吹出流と前記回転軸線から見て吹出口からは遠い側となる熱交換機の背面から吹き出された空気吹出流とを前後方向において仕切るための仕切板が設けられている請求項２〜請求項５のうち何れか一項に記載の空気調和機。
【発明の詳細な説明】
【技術分野】
【０００１】
本発明は、ケーシング内に熱交換機と送風機とを備えた空気調和機に関する。
【背景技術】
【０００２】
一般に、空気調和機は、ケーシング内に熱交換機と送風機（ファン）とを備え、送風機の回転駆動に基づきケーシング内に吸い込んだ空気を、熱交換機内を流れる冷媒との熱交換により加熱又は冷却した後、ケーシング外へ吹き出すようにしている。近時、こうした空気調和機では、室内機及び室外機の何れに関しても、その設置スペースを少なくしたいという要請がなされている。そこで、かかる要請に対応する空気調和機として、従来から例えば特許文献１に記載されるような空気調和機が提案されている。
【０００３】
この特許文献１に記載の空気調和機は、室内機及び室外機の何れにも適用可能なものであり、ケーシング内には、ケーシング前面の吸込グリル（吸込口）に対向して熱交換機が配置されると共に、熱交換機の背面側には回転軸が前記熱交換機と略直交する斜流ファン等からなる送風機が配置されている。また、ケーシング内において送風機の背面側には、ケーシング上面の吹出グリル（吹出口）側へ送風機からの空気吹出流を案内可能な主吹出流路と副吹出流路とが仕切板により前後方向に仕切り形成されている。そして、前記副吹出流路が従来はデッドスペースとなっていた部分に形成されると共に、前面吸い込み、上面吹き出しであるために、特許文献１に記載の空気調和機によれば、ケーシング背面側を壁面にピッタリ接した状態での設置が可能となり、設置スペースを可及的に小さく抑えることができるとされている。
【特許文献１】特開平９−１５９２１７号公報（請求項１，請求項５、段落番号［００２５］、図６）
【発明の開示】
【発明が解決しようとする課題】
【０００４】
ところが、特許文献１に記載の空気調和機では、次のような問題があった。即ち、空気調和機では、ケーシング内に吸い込まれた空気が熱交換機を通過する際に冷媒と効率良く熱交換できる有効熱交換面積を広く確保することが重要となる。この点、ケーシング内において熱交換機の背面側に送風機（斜流ファン等）を配置してなる特許文献１の空気調和機の場合には、その有効熱交換面積を広く確保しようとすると、熱交換機と送風機との間の距離を長くとる必要がある。従って、そのように熱交換機と送風機との間の距離を長くとった分だけ、空気調和機の奥行方向のコンパクト化（即ち、薄型化）が難しくなり、省スペース化の要請に対して十分に応えられないという問題があった。
【０００５】
本発明は、上記事情に鑑みてなされたものであり、その目的は、省スペース化の要請に十分対応できる薄型コンパクトな空気調和機を提供することにある。
【課題を解決するための手段】
【０００６】
上記目的を達成するために、空気調和機に係る請求項１に記載の発明は、ケーシング内に、ケーシングの前面に設けられた吸込口に対向させて回転軸線が前後方向に沿う斜流送風機を配置すると共に、該斜流送風機の背面側には熱交換機を配置し、前記斜流送風機の回転駆動に基づき前記吸込口からケーシング内に吸い込まれた空気が熱交換機を通過した後にケーシング外へ吹き出されるようにしたことを要旨としている。
【０００７】
この請求項１に記載の発明によれば、斜流送風機の回転駆動に基づきケーシングの前面の吸込口からケーシング内に吸い込まれた空気は、ケーシング内において、まず斜流送風機に流入する。そして、斜流送風機に流入した空気は、該斜流送風機から背面側の熱交換機に向けて吹き出される際に、その空気吹出流の方向が斜流送風機の回転軸線に対して後ろ向き斜めの遠心方向となるように拡げられる。そのため、たとえ斜流送風機と熱交換機との間の距離を詰めて、空気調和機の奥行方向のコンパクト化（薄型化）を図っている場合でも、前記熱交換機内には、その前面の広範囲から空気が流入することになり、有効熱交換面積が広く確保されることになる。従って、省スペース化の要請に十分対応できる薄型コンパクトな空気調和機を提供することが可能となる。
【０００８】
また、請求項２に記載の発明は、請求項１に記載の空気調和機において、前記ケーシングには、前記回転軸線と直交する方向の一側面に吹出口が設けられ、該吹出口から前記空気はケーシング外へ吹き出されることを要旨としている。そのため、この請求項２に記載の発明によれば、熱交換機内を流れる冷媒との熱交換により温度調整された空気がケーシング外へ吹出口から吹き出された際に、ケーシングの前面に設けられた吸込口に吸い込まれること（ショートサーキット）を良好に回避できる。
【０００９】
また、請求項３に記載の発明は、請求項１又は請求項２に記載の空気調和機において、前記斜流送風機のハブの背面側には、前記回転軸線を中心とした場合に環状配置の構成となるマグネットを有したロータが一体化されると共に、前記ハブと前記熱交換機との間には、前記ロータのマグネットと対応する部分に複数のコイルを備えてなる薄板状ステータが配設され、該ステータと前記ロータとにより前記斜流送風機を回転駆動させるモータが構成されていることを要旨としている。そのため、この請求項３に記載の発明によれば、斜流送風機を回転駆動させるために斜流送風機と熱交換機との間に配設されるモータが軸方向に薄型コンパクトな構成となるため、斜流送風機と熱交換機との間の距離を可及的に短く詰めることができ、空気調和機の奥行方向のコンパクト化（薄型化）に一層貢献できる。
【００１０】
また、請求項４に記載の発明は、請求項３に記載の空気調和機において、前記ステータは、細棒状又は網状の支持部材を介して前記斜流送風機のハブと前記熱交換機との間に支持されていることを要旨としている。そのため、この請求項４に記載の発明によれば、斜流送風機の回転軸線に対して後ろ向き斜めの遠心方向となるように空気吹出流の方向を拡げられた空気が斜流送風機から熱交換機に向かって吹き出された際に、斜流送風機と熱交換機との間においてモータのステータを支持する支持部材によって遮られることを極力なくすことができる。
【００１１】
また、請求項５に記載の発明は、請求項１〜請求項４のうち何れか一項に記載の空気調和機において、前記熱交換機はその前面側から見た場合の輪郭形状が前記斜流送風機の羽根部が回転時に描く回動軌跡の形状よりも大きく形成されていることを要旨としている。そのため、この請求項５に記載の発明によれば、斜流送風機の回転軸線に対して後ろ向き斜めの遠心方向となるように空気吹出流の方向を拡げられた空気は、斜流送風機から熱交換機に向かって吹き出された際に、該熱交換機内にその前面の広範囲から良好に流入することが可能となる。
【００１２】
また、請求項６に記載の発明は、請求項２〜請求項５のうち何れか一項に記載の空気調和機において、前記ケーシング内の前記熱交換機の背面側には、該熱交換機の背面から吹き出された空気吹出流を前記吹出口に向けて案内可能な空気吹出流路が形成されると共に、該空気吹出流路内には、前記回転軸線から見て吹出口に近い側となる熱交換機の背面から吹き出された空気吹出流と前記回転軸線から見て吹出口からは遠い側となる熱交換機の背面から吹き出された空気吹出流とを前後方向において仕切るための仕切板が設けられていることを要旨としている。そのため、この請求項６に記載の発明によれば、熱交換機の背面側に設けられた空気吹出流路内において、熱交換機の背面から吹き出された空気吹出流が該熱交換機の背面と対面する空気吹出流路の内面側に片寄ることを仕切板によって抑制される。その結果、吹出口から温度調整された空気が吹き出される際には、該吹出口全体に平均化した滑らかな空気吹出流となって吹き出されることになり、吹出口での騒音低減を図ることができる。
【発明の効果】
【００１３】
請求項１〜請求項６に記載の本発明によれば、省スペース化の要請に十分対応できる薄型コンパクトな空気調和機を提供することができる。
【発明を実施するための最良の形態】
【００１４】
以下、本発明を空気調和機における室内機に具体化した一実施形態を図１〜図４にしたがって説明する。なお、以下の説明において前後方向という場合には、図１における紙面と直交する方向の手前側を前方向、奥側を後方向とし、図２における左右方向の左側を前方向、右側を後方向として説明するものとする。
【００１５】
図１及び図２に示すように、本実施形態の空気調和機１０は、箱状のケーシング１１を備えており、該ケーシング１１の背面（後面）が壁面Ｗ（図２参照）に対してピッタリと接した状態に取り付けられる壁掛け式薄型の室内機として構成されている。前記ケーシング１１の前面には、該ケーシング１１内に空気を吸い込むための円形状をなす吸込口１２が開口形成されると共に、前記ケーシング１１の下面側には、該ケーシング１１内から空気調和機１０により温度調整された後の空気を吹き出すための吹出口１３がケーシング１１の長手方向（左右方向）に沿うように横長に形成されている。
【００１６】
前記ケーシング１１内には、前面の吸込口１２に対向させて回転軸線Ｐが前後方向に沿う斜流送風機１４が配設されると共に、該斜流送風機１４の背面側には熱交換機１５が配設されている。前記斜流送風機１４は、円錐台状をなすハブ１６と該ハブ１６の外周部から各々斜状をなすように突設された複数（本実施形態では７つ）の羽根１７とからなる羽根部１８と、該羽根部１８を回転駆動させるためのモータ１９とを備えている。前記ハブ１６の背面側には、前記回転軸線Ｐを中心とした場合に環状配置の構成となる複数（図２には２つのみ図示）のマグネット２０を有したロータ２１が一体化されている。因みに、各マグネット２０は、前記回転軸線Ｐに沿う方向にＮＳ磁極が位置するように着磁されており、ロータ２１の背面側へ磁極がＳ極となるマグネットと磁極がＮ極となるマグネットとが周方向へ交互に位置するように配置されている。
【００１７】
また、前記ハブ１６と前記熱交換機１５との間には、前面側から見た場合の輪郭形状が前記ハブ１６よりも小さな円形状に形成された薄板状のステータ２２が左右一対の細棒状をなすシャフト（支持部材）２３を介して支持されている。ステータ２２の前面略中央部からは前記回転軸線Ｐに軸線を一致させた支持軸２２ａが突設されており、該支持軸２２ａの先端部に前記斜流送風機１４の羽根部１８が回転自在に支持されている。また、ステータ２２の前面には、前記ロータ２１の各マグネット２０と対応する部分に各々巻線状をなすコイル２４が設けられている（具体的には、ステータ２２の前面に絶縁を図ってプリント形成されている）。そして、これら各コイル２４が設けられたステータ２２と前記各マグネット２０が設けられたロータ２１とにより前記モータ１９が構成されている。
【００１８】
一方、前記熱交換機１５は、その前面側から見た場合の輪郭形状（正面視形状）が前記ケーシング１１の正面視形状と略同一の矩形状をなしている。すなわち、斜流送風機１４の背面側にあって、前記熱交換機１５は、その前面側から見た場合の輪郭形状が前記斜流送風機１４の羽根部１８（具体的には、各羽根１７の先端部）が回転時に描く回動軌跡の形状よりも大きく形成されたものとなっている。そして、この熱交換機１５と斜流送風機１４との間の距離は、空気調和機１０における奥行方向（前後方向）の薄型コンパクト化を図るべく、可能な限り前後方向に詰めた短い距離（例えば、１０ｍｍ程度）に設定されている。すなわち、前記細棒状のシャフト２３及び該シャフト２３により支持される薄板状のステータ２２を配設するのに必要十分な最小距離に設定されている。
【００１９】
また、前記ケーシング１１内において、熱交換機１５の背面側には、該熱交換機１５の背面から吹き出された空気吹出流を前記吹出口１３に向けて案内可能な空気吹出流路２５がケーシング１１の後壁内面（すなわち、熱交換機１５の背面と対面する内面）１１ａに沿うように形成されている。また、空気吹出流路２５内には、該空気吹出流路２５内における前後方向の略中間位置に前記熱交換機１５よりも上下方向長さが小さな矩形状をなす仕切板２６が配設されており、該仕切板２６は、その上端部が前記ステータ２２の上端部と略同じ高さ位置となるように設けられている。そして、この仕切板２６により、前記斜流送風機１４の回転軸線Ｐから見て吹出口１３に近い側となる熱交換機１５の背面から吹き出された空気吹出流と前記回転軸線Ｐから見て吹出口１３からは遠い側となる熱交換機１５の背面から吹き出された空気吹出流とが空気吹出流路２５内において前後方向に仕切られるようになっている。
【００２０】
そこで次に、上記のように構成された本実施形態の空気調和機１０における作用につき以下説明する。
さて、前記モータ１９におけるステータ２２の各コイル２４に交流電圧が印加され、該コイル２４の極性がＮ極とＳ極との間で交互に変化すると、これら各コイル２４とロータ２１側の各マグネット２０との間には磁気吸引力と磁気反発力とが交互に作用することになる。そのため、この磁気吸引力と磁気反発力を受けて、前記ロータ２１とステータ２２との間には相対回転力が発生することになり、斜流送風機１４の羽根部１８が前記ロータ２１と一体的に回転駆動される。すると、この斜流送風機１４（羽根部１８）の回転駆動に基づき、前記ケーシング１１内には前面側の吸込口１２から空気が吸い込まれ、該空気は斜流送風機１４内に流入する。
【００２１】
ここで、前記斜流送風機１４は、空気吹出流を軸線方向に沿って吹き出す軸流送風機の軸流送風機能及び空気吹出流を軸線方向と直交する遠心方向に吹き出す遠心送風機の遠心送風機能の中間機能ともいうべき斜流送風機能を有している。そのため、斜流送風機１４内へ前面側から流入した空気は、該斜流送風機１４を通過して背面側から吹き出される際に、その空気吹出流の方向が、図３に示すように、回転軸線Ｐに対して後ろ向き斜めの遠心方向となるように拡げられる。すなわち、斜流送風機１４の羽根部１８が回転時に描く回動軌跡の形状範囲よりも広い範囲に向けて拡がるように吹き出されることになる。
【００２２】
その一方、前記斜流送風機１４の背面側に該斜流送風機１４との間の距離を短く詰めて配置された熱交換機１５は、その前面側の面積を画する前面側から見た場合の輪郭形状が前記斜流送風機１４の羽根部１８が回転時に描く回動軌跡の形状よりも大きく形成されている。そのため、斜流送風機１４の背面から空気吹出流の方向が回転軸線Ｐに対して後ろ向き斜めの遠心方向となるように拡げられて吹き出された空気は、前記熱交換機１５内にその前面の広範囲から空気が流入することになり、該熱交換機１５においては、その有効熱交換面積が広く確保されることになる。
【００２３】
また、斜流送風機１４を回転駆動するために該斜流送風機１４と熱交換機１５との間に配置されたモータ１９は、斜流送風機１４のハブ１６の背面側に一体化されたロータ２１と該ロータ２１に対面配置される薄板状のステータ２２とで構成されるフラットなモータであるため、そのモータ１９の回転軸線Ｐ方向には薄型コンパクトな構成となる。そのため、空気調和機１０の奥行方向のコンパクト化（薄型化）を図る上で、前記斜流送風機１４と熱交換機１５との間の距離を可及的に短く詰めることが可能となる。
【００２４】
また、前記モータ１９におけるステータ２２を斜流送風機１４と熱交換機１５との間で支持する支持部材は、細棒状をなすシャフト２３により構成されているため、斜流送風機１４から空気吹出流の方向を拡げられた空気が斜流送風機から熱交換機１５に向けて吹き出された際に前記モータ１９の支持部材により遮られることが極力抑制される。そして、上記のようにして熱交換機１５内に流入した空気は、該熱交換機１５内を流れる冷媒との熱交換により温度調整（加熱又は冷却）された後、熱交換機１５の背面から空気吹出流路２５内へ吹き出される。
【００２５】
そして、この場合、熱交換機１５の背面から吹き出された空気吹出流のうち、前記回転軸線Ｐから見て吹出口１３からは遠い側となる背面（図２及び図３では上側寄りとなる背面）から吹き出された空気吹出流は、空気吹出流路２５の後側内面を構成するケーシング１１の後壁内面１１ａに沿って下方の吹出口１３側へと案内される。その一方、前記回転軸線Ｐから見て吹出口１３に近い側となる背面（図２及び図３では下側寄りとなる背面）から吹き出された空気吹出流は、空気吹出流路２５内の前後方向略中間位置に設けられた仕切板２６に沿って下方の吹出口１３側へと案内される。すなわち、熱交換機１５の背面から吹き出された空気吹出流の全てが前記ケーシング１１の後壁内面１１ａ側に片寄って流れることが前記仕切板２６により抑制される。
【００２６】
そのため、もし仮に、前記空気吹出流路２５内に前記仕切板２６が設けられていなければ、図４に示す風量Ｖの分布図において、ケーシング１１の後壁内面１１ａ側に片寄った空気吹出流の場合は風量分布曲線Ｖ０となるのに対し、仕切板２６を設けた場合には空気吹出流路２５の奥行幅Ｄの方向に平均化した風量分布曲線Ｖ１となる。そのため、吹出口１３から温度調整された空気がケーシング１１外へ吹き出される際における騒音が低減される。
【００２７】
上記実施形態の空気調和機１０によれば、以下のような効果を得ることができる。
（１）ケーシング１１内において斜流送風機１４から背面側の熱交換機１５に向けて吹き出された空気は、斜流送風機１４の斜流送風機能により空気吹出流の方向が回転軸線Ｐに対して後ろ向き斜めの遠心方向となるように拡げられて熱交換機１５内に流入する。そのため、空気調和機１０の薄型コンパクト化を図るべく斜流送風機１４と熱交換機１５との間の距離を短く詰めている場合でも、熱交換機１５内へは前面の広範囲から空気を流入させることができ、その熱交換機１５では有効熱交換面積を広く確保することができる。従って、本実施形態の空気調和機１０によれば省スペース化の要請に十分対応できる。
【００２８】
（２）ケーシング１１内の熱交換機１５により温度調整された後、ケーシング１１外へ吹き出される空気は、その吹出口１３がケーシング１１の下面側に設けられているため、ケーシング１１の前面側に設けられた吸込口１２へ回り込んで吸い込まれること（所謂、ショートサーキット）が良好に回避される。従って、空気調和機１０における空調効率を良好に維持することができる。
【００２９】
（３）ケーシング１１内において斜流送風機１４と熱交換機１５との間に配置される斜流送風機駆動用のモータ１９が軸方向にコンパクトなフラットモータで構成されるため、斜流送風機１４と熱交換機１５との間の距離を可及的に短く詰めることができ、空気調和機１０の奥行方向のコンパクト化（薄型化）に一層貢献できる。
【００３０】
（４）斜流送風機１４から背面側の熱交換機１５に向かって吹き出された空気はモータ１９を支持する支持部材が細棒状のシャフト２３であるため、その空気吹出流が遮られることを極力抑制されることになり、熱交換機１５に対して斜流送風機１４からの空気吹出流を良好に流入させることができる。
【００３１】
（５）熱交換機１５は、その前面側から見た場合の輪郭形状が斜流送風機１４の羽根部１８が回転時に描く回動軌跡の形状よりも大きく形成されたものであるため、斜流送風機１４から空気吹出流の方向を回転軸線Ｐに対して後ろ向き斜めの遠心方向へと拡げられて吹き出された空気を熱交換機１５の前面の広範囲から確実に流入させることができる。
【００３２】
（６）熱交換機１５の背面から空気吹出流路２５内へ向けて吹き出された空気は、その空気吹出流が空気吹出流路２５内で仕切板２６によって前後方向に仕切られ、空気吹出流路２５の奥行幅Ｄの方向に平均化した風量分布曲線Ｖ１を形成するようになる。従って、吹出口１３から温度調整された空気がケーシング１１外へ吹き出される際における騒音の低減を図ることができる。
【００３３】
なお、上記実施形態は以下のような別の実施形態（別例）に変更してもよい。
・  上記実施形態において、吹出口１３は斜流送風機１４の回転軸線Ｐと直交する方向の側面に形成されるならば、ケーシング１１の上面側又は左右何れかの横面側に設けてもよい。なお、吹出口１３をケーシング１１の上面側に設けた場合には仕切板２６も空気吹出流路２５内の上方寄り位置に設けるのが望ましく、また吹出口１３を左右何れかの横面側に設けた場合には仕切板２６も左右方向で吹出口１３を設けた側寄りに設けるとよい。このように設計変更した場合も、所謂ショートサーキットの抑制効果を奏し得る。
【００３４】
・  上記実施形態において、熱交換機１５は前面側から見た場合の輪郭形状が斜流送風機１４の羽根部１８が回転時に描く回動軌跡の形状よりも大きなものであれば、その形状は矩形状に限定されるものではなく、例えば、円形状などにしてもよい。このようにした場合も、熱交換機１５の前面の広い範囲から熱交換機１５内に空気を流入させて有効熱交換面積を広く確保することができる。
【００３５】
・  上記実施形態において、モータ１９のステータ２２を支持する支持部材は、細棒状のシャフト２３に代えて網状をなす支持部材（例えば、スチール製ネット等）であってもよい。このような網状の支持部材の場合も、斜流送風機１４から熱交換機１５に向かって吹き出された空気吹出流を遮ることが極力抑制される。また、シャフト２３は細棒状であれば、丸棒状、角棒状など、その断面形状は任意の形状でよい。また、左右一対（２本）に限らず１本又は３本以上のシャフト２３でステータ２２を支持してもよい。
【００３６】
・  モータ１９を構成するロータ２１に設けられるマグネット２０は回転軸線Ｐを中心とした場合に環状配置の構成となるのであればその個数は任意である。また１個の環状をなすマグネットであってもよい。
【００３７】
・  上記実施形態では、空気調和機１０における室内機に具体化したが、これを戸外に設置される室外機に具体化してもよい。
【図面の簡単な説明】
【００３８】
【図１】本実施形態の空気調和機の正面図。
【図２】図１におけるＡ−Ａ線矢視断面図。
【図３】ケーシング内での空気の流れを示す断面図。
【図４】吹出口での風量分布の説明図。
【符号の説明】
【００３９】
１０…空気調和機、１１…ケーシング、１２…吸込口、１３…吹出口、１４…斜流送風機、１５…熱交換機、１６…ハブ、１８…羽根部、１９…モータ、２０…マグネット、２１…ロータ、２２…ステータ、２３…シャフト（支持部材）、２４…コイル、２５…空気吹出流路、２６…仕切板、Ｐ…回転軸線。
【図１】
2006038294.tif 000003
【図２】
2006038294.tif 000004
【図３】
2006038294.tif 000005
【図４】
2006038294.tif 000006